(57)【要約】【課題】電源接続用端子台による電源確保機能と信号導出用端子台による信号導出機能とを的確に行えるとともに、制御回路用端子台による遮断器を制御するための制御回路の構築を効率的な配線形態で円滑に行える受配電設備の中継接続装置を得る。【解決手段】受配電回路に設けられた遮断器１と、遮断器１を制御する制御部と、遮断部１と前記制御部の間に配置され前記制御部からの入力により遮断器１を制御する制御回路が設けられた中継接続ユニット３とを備えた受配電設備において、中継接続ユニット３には、電源を確保するための電源接続用端子台５と、信号導出のための中央監視接続用端子台６からなる信号導出用端子台と、前記制御回路を構築するための各盤ロジック回路用端子台７からなる制御回路用端子台とが所定の長さを有する専用線４からなる接続線によりそれぞれ接続されるように構成する。【選択図】図２
2018196211.tif 000002
【特許請求の範囲】
【請求項１】
受配電回路に設けられた遮断部と、前記遮断部を制御する制御部と、前記遮断部と前記制御部の間に配置され前記制御部からの入力により前記遮断部を制御する制御回路が設けられた中継接続ユニットとを備えた受配電設備において、前記中継接続ユニットには、電源を確保するための電源接続用端子台と、信号導出のための信号導出用端子台と、前記制御回路を構築するための制御回路用端子台とが所定の長さを有する接続線によりそれぞれ接続されることを特徴とする受配電設備の中継接続装置。
【請求項２】
前記中継接続ユニットを設けるとともに前記遮断部を収納し前方正面に扉が設けられた盤体を備えたことを特徴とする請求項１に記載の受配電設備の中継接続装置。
【請求項３】
前記遮断部を制御する操作手段を有する制御部を前記扉に配置したことを特徴とする請求項２に記載の受配電設備の中継接続装置。
【請求項４】
前記中継接続ユニットを前記扉に配置したことを特徴とする請求項３に記載の受配電設備の中継接続装置。
【請求項５】
前記制御回路用端子台を前記扉に配置したことを特徴とする請求項３または請求項４に記載の受配電設備の中継接続装置。
【請求項６】
複数個の前記盤体を並べて配列し前記盤体における特定の盤体で配列全体の前記盤体に係る制御回路を構築するものにおいて、特定の前記盤体では前記制御回路用端子台を前記扉に配置するとともに、特定以外の前記盤体では前記制御回路用端子台を前記盤体の側面に配置したことを特徴とする請求項２に記載の受配電設備の中継接続装置。
【請求項７】
前記電源接続用端子台と前記信号導出用端子台を前記盤体の側面に配置したことを特徴とする請求項５または請求項６に記載の受配電設備の中継接続装置。
【請求項８】
前記中継接続ユニットに前記電源接続用端子台と前記信号導出用端子台と前記制御回路用端子台とを接続する接続線として、両端に線端コネクタ接続部を設けた専用線を採用し、前記専用線の一端に設けられた前記線端コネクタ接続部に対し前記中継接続ユニットに設けられた対応コネクタ接続部をコネクタ接続するとともに、前記専用線の他端に設けられた前記線端コネクタ接続部に対し前記電源接続用端子台と前記信号導出用端子台と前記制御回路用端子台に設けられた対応コネクタ接続部をそれぞれ各別の前記専用線でコネクタ接続することを特徴とする請求項１から請求項７までの何れかに記載の受配電設備の中継接続装置。
【発明の詳細な説明】
【技術分野】
【０００１】
この発明は真空高圧遮断器などの遮断部を備えスイッチギヤとして構成される受配電設備の中継接続装置に関する。
【背景技術】
【０００２】
受配電設備を構成するスイッチギヤには主回路導電部が断路可能である真空高圧遮断器からなる遮断部が収納されている。この真空高圧遮断器は電子機器で構成される制御部による開閉制御により投入開放指令を行い、また、前記電子機器からはスイッチギヤ内の真空高圧遮断器の状態情報を中央監視システムに伝達することで受配電設備を構築している。
真空高圧遮断器とこの真空高圧遮断器を制御する電子機器とスイッチギヤへの外線ケーブルが接続される外線端子台の間では、真空高圧遮断器の制御に用いる制御回路としてのロジック回路を構築するために、複数の補助リレーや中継端子台が必要となる。これらの器具設置や結線をすることで作業時間がかかり、コストが増大する問題点があった。
【０００３】
そこで特許文献１のように、遮断器と電子機器と外線端子台の間で、中間接続ユニットとして一つの筐体に補助リレーや端子台を集約したものを採用し、電子機器と遮断器間は専用線を作成することで結線作業の省力化を実現しているものもある。
遮断器を制御する電子機器は盤外からの操作が必要となるため、扉に配置されることが一般的である。特許文献１の中間接続ユニットはスイッチギヤ前方の側面に配置している。スイッチギヤにおける遮断器の制御回路としては、集中制御盤を設けて、別の盤で制御回路を構築する場合もあるが、各々の盤で自盤の制御回路を構築することが一般的である。この場合には、中間接続ユニットとは別に補助リレーや中継端子台を設けて中間接続ユニットが包括しない部位の制御回路を構築する。なお、これらの補助リレーや中継端子台は中間接続ユニットに設けられた端子台に接続され、補助リレーや端子台は扉側に配置されることが多い。
【先行技術文献】
【特許文献】
【０００４】
【特許文献１】特開２００３−２１９５１６号公報
【発明の概要】
【発明が解決しようとする課題】
【０００５】
しかし、特許文献１の場合には以下の問題点がある。遮断器を制御するための制御回路を自盤で完結的に構築する各盤制御方式では補助リレーを扉に配置することが多く、制御回路構築のための制御回路用端子台は中間接続ユニットの本体を構成する筐体に一体的に配置されている。このため、遮断器を収納する盤体の内側面に配置された中間接続ユニットに設けられた制御回路構築のための制御回路用端子台から補助リレーまで距離があり、配線に無駄が生じる。
仮に、この中間接続ユニットを扉内面に配置した場合、上記問題は解決できる。しかし、複数の盤を並設して配列し配列全体に共通の制御回路を配列中の特定の盤で構築する集中制御方式の場合は更に問題が生ずる。この場合には特定の盤以外の盤では中間接続ユニットの端子台に盤外から外線をつなぎ込むときは中間接続ユニットに設けられた端子台とは別の外線端子台を別途設ける必要がある。このため、中間接続ユニットと外線端子台間の結線作業に時間がかかる。
【課題を解決するための手段】
【０００６】
この発明に係る受配電設備の中継接続装置は、受配電回路に設けられた遮断部と、前記遮断部を制御する制御部と、前記遮断部と前記制御部の間に配置され前記制御部からの入力により前記遮断部を制御する制御回路が設けられた中継接続ユニットとを備えた受配電設備において、前記中継接続ユニットには、電源を確保するための電源接続用端子台と、信号導出のための信号導出用端子台と、前記制御回路を構築するための制御回路用端子台とが所定の長さを有する接続線によりそれぞれ接続されることを特徴とするものである。
【発明の効果】
【０００７】
この発明によれば、中継接続ユニットに電源接続用端子台と信号用端子台と制御回路用端子台とが所定の長さを有する接続線によりそれぞれ接続される。これによって、中継接続ユニットに接続される電源接続用端子台と信号導出用端子台と制御回路用端子台とを必要に応じ所要の個所へ適切に配置できる。したがって、電源接続用端子台による電源確保機能と信号導出用端子台による信号導出機能とを的確に行えるとともに、制御回路用端子台による遮断器を制御するための制御回路の構築を効率的な配線形態で円滑に行える受配電設備の中継接続装置を得ることができる。
【図面の簡単な説明】
【０００８】
【図１】この発明に係る各要素機器におけるブロック図。
【図２】この発明に係る実施の形態１における各盤制御方式での各機器の配置を表した斜視図。
【図３】この発明に係る実施の形態２における集中制御方式での各機器の配置を表した斜視図。
【図４】この発明に係る実施の形態３で使用する専用線で接続される端子台の構成を示す拡大図。
【発明を実施するための形態】
【０００９】
実施の形態１．
この発明に係る実施の形態１を図１および図２に基づいて説明する。図１はこの発明に係る各要素機器におけるブロック図である。図２は実施の形態１における各盤制御方式での各機器の配置を表した斜視図である。
【００１０】
この発明では、スイッチギヤに搭載される真空高圧遮断器１とそれを制御する電子機器２間において、真空高圧遮断器１を制御するための制御回路の構成に必要な補助リレー等が設けられた中継接続ユニット３を採用している。また、これらの中継接続ユニット３とコネクタ電線からなる専用線４にて接続することができる外線接続用の端子台を有する。外線接続用の端子台は以下のように三つに分割する。一つめは電源機能を有し、比較的太い電線サイズが必要な接点を集約した外線接続用の電源接続用端子台５である。二つめは中央監視システムへの接続用、即ちスイッチギヤの外部へ接続される接点を集約した信号用端子台としての外線接続用の中央監視接続用端子台６である。三つめは自盤にて制御回路を構築するため、盤内補助リレーや中継端子台に接続する接点を集約させた制御回路用端子台としての外線接続用としても適用可能な各盤ロジック回路用端子台７である。
【００１１】
真空高圧遮断器１は金属製筺体からなる単位盤体を構成する盤体ＰＡに収納され、盤体ＰＡの前方正面には片開き扉８が設けられている。盤体ＰＡは単独で独立して設置されるか、あるいは、複数の盤体ＰＡが図２に示す水平方向に並設状態で配列される。
【００１２】
次に、中継接続ユニット３などの盤体ＰＡの内部における構成要素について、それぞれの設置場所を説明する。スイッチギヤの制御方式は、自盤としての盤体ＰＡにて真空高圧遮断器１を制御するための制御回路を自盤で完結的に構築する各盤制御方式と、並設状態で配列される複数個の盤体ＰＡのうち特定の盤体ＰＡで配列全体の真空高圧遮断器１を制御するための制御回路を構築する集中制御方式がある。各方式について、それぞれ適した場所に配置するものとする。ここでは、この実施の形態１における各盤制御方式について説明する。
【００１３】
各盤制御方式では、単体としての盤体ＰＡのそれぞれにおいて、その内部における構成要素は次のように配置される。
中継接続ユニット３は制御方式に係わらず、扉８に配置される。電源接続用端子台５と中央監視接続用端子台６は制御方式に係わらず、盤体ＰＡにおける盤内の前方側面に配置される。各盤ロジック回路用端子台７は、この各盤制御方式では扉８に配置される。
真空高圧遮断器１を制御する電子機器２は盤体ＰＡの外部側から操作する必要があるため、常に扉８に配置する。各盤制御方式において自盤としての盤体ＰＡでの制御回路を構築するための補助リレーや端子台を設置する補助リレー設置スペース９は扉８側に設けられる。
【００１４】
中継接続ユニット３では、真空高圧遮断器１を制御するための制御回路の構成に必要な補助リレー等を図２に示すように扉８の裏側に設けられた補助リレー設置スペース９に設置する。この構成のほか、真空高圧遮断器１を制御するための制御回路の構成に必要な補助リレー等をユニット本体ＭＣとしての一つの筐体に収納して設置することもできる。
真空高圧遮断器１からなる遮断部を電子機器２からなる制御部によって制御するための制御回路は、次の機能を行う。補助リレー設置スペース９または中継接続ユニット３のユニット本体ＭＣに収納して設置された複数個の補助リレーにおける作動コイルおよび作動コイルにより開閉駆動される接点の相互接続関係を調整する。これによって所定の接続構成に基づくロジック回路を形成することにより中継接続ユニット３において所要の構成が構築される。
【００１５】
中継接続ユニット３に接続される真空高圧遮断器１を制御するための制御回路を構築する制御回路用端子台としての各盤ロジック回路用端子台７によって、複数個の補助リレーにおける作動コイルおよび作動コイルにより開閉駆動される接点の相互接続構成を調整することができ、所要構成の制御回路が構築されるものである。
【００１６】
この発明に係る実施の形態１の構成によれば、中継接続ユニット３には、電源接続用端子台５からなる電源接続用端子台と中央監視接続用端子台６からなる信号用端子台と、各盤ロジック回路用端子台７からなる制御回路用端子台とが所定の長さを有する接続線によりそれぞれ接続される。
これによって、中継接続ユニットに接続される電源接続用端子台と信号導出用端子台と制御回路用端子台とを必要に応じ所要の個所へ適切に配置できる。したがって、電源接続用端子台による電源確保機能と信号導出用端子台による信号導出機能とを的確に行えるとともに、制御回路用端子台による制御回路の構築を効率的な配線形態で円滑に行える受配電設備の中継接続装置を得ることができる。
【００１７】
制御回路を構築するための各盤ロジック回路用端子台７からなる制御回路用端子台は補助リレー設置スペース９が配置される扉８の内面８Ａに配置され、短い距離で補助リレー等に接続でき、制御回路の構築を効率のよい配線で的確に行える。
また、電源を確保するための電源接続用端子台５からなる電源接続用端子台および信号導出のための中央監視接続用端子台６からなる信号用端子台は、外線接続に好都合な盤体ＰＡの内側面に設置され、効率的な配線で電源確保機能および信号導出機能を遂行できる。
【００１８】
すなわち、自盤としての単体の盤体ＰＡにて自盤で完結的に制御回路を構築する各盤制御方式では、各盤ロジック回路用端子台７からなる制御回路用端子台と補助リレーの距離も短く、効率よく配線をすることが可能となる。また、電源を確保するための電源接続用端子台５からなる電源接続用端子台および信号導出のための中央監視接続用端子台６からなる信号用端子台の外線への接続も効率よく配線できるものである。
【００１９】
（１）この発明に係る実施の形態１における受配電設備の中継接続装置では、次の構成が適用されている。
受配電回路の主回路導電部に設けられた真空高圧遮断器１からなる遮断部と、前記遮断部を制御する開閉操作手段を有する電子機器２からなる制御部と、前記遮断部と前記制御部の間に配置された中継接続ユニット３とを備えた受配電設備に関するものである。前記中継接続ユニット３で扉８の補助リレー設置スペース９に設置される複数の補助リレーにおける相互接続関係を調整して前記補助リレーに係る所定の接続構成を有する制御回路を構築する。前記制御回路を介して開閉操作手段を有する電子機器２からなる前記制御部の指令入力により真空高圧遮断器１からなる前記遮断部を制御する。
【００２０】
前記中継接続ユニット３には、電源を確保するための電源接続用端子台５からなる電源接続用端子台と、信号導出のための中央監視接続用端子台６からなる信号用端子台と、前記制御回路を構築するための各盤ロジック回路用端子台７からなる制御回路用端子台とが設けられている。これらの端子台は所定の長さを有する３本の専用線４からなる接続線によりそれぞれ接続される。
【００２１】
３本の専用線４からなる接続線は、前記中継接続ユニット３と、電源を確保するための電源接続用端子台５からなる電源接続用端子台と、信号導出のための中央監視接続用端子台６からなる信号用端子台と、前記制御回路を構築するための各盤ロジック回路用端子台７からなる制御回路用端子台とをそれぞれ接続するものである。
しかも、それぞれ所定位置に配置された電源接続用端子台および信号用端子台ならびに制御回路用端子台に対する前記中継接続ユニット３からの相互接続を確保するのに必要な所定の長さをそれぞれ有する。
【００２２】
すなわち、中継接続ユニットに設けてある端子台を本体から分離し、中継接続ユニットと端子台はコネクタ電線による接続が可能であるものとする。また、端子台は、電源機能を有し比較的太い電線サイズが必要な接点の集合させた外線接続用の電源接続用端子台５と、中央監視システムへの接続用に分割されている。即ちスイッチギヤの外部へ接続される接点の集合させた外線接続用の中央監視接続用端子台６と、自盤にて制御回路を構築するため、盤内補助リレーや中継端子台に接続する接点の集合させた外線接続用にも適用可能な各盤ロジック回路用端子台７の３つに分割するようにした。
そして、前記中継接続ユニット３を設けるとともに真空高圧遮断器１からなる前記遮断部を収納する盤体ＰＡを備えている。盤体ＰＡには前方正面に片開き扉８からなる扉が設けられている。
【００２３】
この構成により、中継接続ユニット３には、電源接続用端子台５からなる電源接続用端子台と中央監視接続用端子台６からなる信号用端子台と、各盤ロジック回路用端子台７からなる制御回路用端子台とが所定の長さを有する接続線によりそれぞれ接続される。これにより、中継接続ユニット３に接続される電源接続用端子台５と中央監視接続用端子台６からなる信号導出用端子台と各盤ロジック回路用端子台７からなる制御回路用端子台とを必要に応じ所要の個所へ適切に配置できる。
したがって、制御回路用端子台による制御回路の構築等を効率的な配線形態で円滑に行える受配電設備の中継接続装置を得ることができる。
すなわち、自盤としての単体の盤体ＰＡにて完結的に制御回路を構築する各盤制御方式では、各盤ロジック回路用端子台７からなる制御回路用端子台と補助リレーの距離も短く、効率よく配線をすることが可能となる。
【００２４】
（２）また、この発明に係る実施の形態１における受配電設備の中継接続装置では、前記（１）項の構成において、次の構成が適用されている。
真空高圧遮断器１からなる前記遮断部を収納し片開き扉８を有する盤体ＰＡを備え、前記遮断部を制御する開閉操作用ハンドル等の操作用部材で構成される操作手段を有する電子機器２からなる制御部を前記扉８に配置し前記操作手段を扉８の表面側から操作可能に設けられている。
この構成により、操作手段を有する制御部による真空高圧遮断器１からなる遮断部の制御を迅速かつ的確に実行することができる。
【００２５】
（３）さらに、この発明に係る実施の形態１における受配電設備の中継接続装置では、前記（２）項の構成において、次の構成が適用されている。
前記中継接続ユニット８を片開き扉８からなる前記扉の内面８Ａに配置している。
この構成により、中継接続ユニット８は簡潔な配線形態により前記遮断部を制御する電子機器２からなる制御部と接続することができ、簡潔な構成で中継機能を的確に遂行することができる。
【００２６】
（４）そして、この発明に係る実施の形態１における受配電設備の中継接続装置では、前記（２）項または前記（３）項の構成において、次の構成が適用されている。
各盤ロジック回路用端子台７からなる前記制御回路用端子台を片開き扉８からなる前記扉の内面８Ａに配置している。
この構成により、片開き扉８からなる前記扉の内面８Ａに設けられる補助リレー設置スペース９に設置される補助リレーと各盤ロジック回路用端子台７からなる制御回路用端子台とを近接して簡潔な配線形態で接続する。これにより、各盤ロジック回路用端子台７からなる制御回路用端子台による制御回路の構築を効率的な配線形態で円滑に行えるものである。
【００２７】
（５）さらにまた、この発明に係る実施の形態１における受配電設備の中継接続装置では、前記（２）項から前記（４）項までの何れかの構成において、次の構成が適用されている。
前記電源接続用端子台５と中央監視接続用端子台６からなる前記信号導出用端子台を前記盤体ＰＡの内側面に配置している。
この構成により、外部との接続構成を必要とする電源接続用端子台５と中央監視接続用端子台６からなる信号導出用端子台について、簡潔な配線構成で電源接続機能および信号導出機能を的確に遂行できる。
【００２８】
実施の形態２．
この発明に係る実施の形態２を図１および図３に基づき図２を参照して説明する。図１はこの発明に係る各要素機器におけるブロック図である。図３は実施の形態２における集中制御方式での各機器の配置を表した斜視図である。
【００２９】
この実施の形態２における集中制御方式での構成は次の通りである。
スイッチギヤに搭載される真空高圧遮断器１とそれを制御する電子機器２間において、真空高圧遮断器１を制御するための制御回路の構成に必要な補助リレー等が設けられた中継接続ユニット３を採用している。また、これらの中継接続ユニット３と専用のコネクタ電線４にて接続することができる外線接続用の端子台を有する。外線接続用の端子台は以下のように三つに分割する。
【００３０】
一つめは電源機能を有し、比較的太い電線サイズが必要な接点を集約した外線接続用の電源接続用端子台５である。二つめは中央監視システムへの接続用、即ちスイッチギヤの外部へ接続される接点を集約した信号用端子台としての外線接続用の中央監視接続用端子台６である。三つめは自盤にて制御回路を構築するため、盤内補助リレーや中継端子台に接続する接点を集約させた制御回路用端子台としての外線接続用として適用可能な各盤ロジック回路用端子台７である。
真空高圧遮断器１は金属製筺体からなる盤体ＰＡに収納され、盤体ＰＡの前方正面には片開き扉８が設けられている。盤体ＰＡは図３に示す水平方向に複数個が並設されている。
【００３１】
次に中継接続ユニット３などを設けた盤体ＰＡの内部における構成要素について、この実施の形態２における並設状態で配列される複数個の盤体ＰＡのうち特定の盤体ＰＡで配列全体の制御回路を構築する集中制御方式について説明する。
ここで、並設状態で配列される複数個の盤体ＰＡにおける前記特定の盤体ＰＡの内部における構成要素は実施の形態１に係る図２に示す通り配置されている。特定以外の盤体ＰＡの内部における構成要素は図３に示す通り配置されるものである。
【００３２】
中継接続ユニット３は制御方式に係わらず、扉８に配置される。電源接続用端子台５と中央監視接続用端子台６は制御方式に係わらず、盤内の前方側面に配置する。各盤ロジック回路用端子台７は、この集中制御方式において配列全体の真空高圧遮断器１を制御するための制御回路を構築する特定の盤体ＰＡでは扉８の内面８Ａに配置され、特定以外の盤体ＰＡでは盤体ＰＡの前方内側面に配置される。
【００３３】
すなわち、配列全体の制御回路を構築する特定の盤体ＰＡでは、制御回路を構築するための各盤ロジック回路用端子台７からなる制御回路用端子台は補助リレー設置スペース９が配置される扉８の内面８Ａに配置され、短い距離で補助リレー等に接続でき、制御回路の構築を効率のよい配線で的確に行える。
これとともに、電源を確保するための電源接続用端子台５からなる電源接続用端子台および信号導出のための中央監視接続用端子台６からなる信号用端子台は、外線接続に好都合な盤体ＰＡの内側面に設置され、効率的な配線で電源確保機能および信号導出機能を遂行できる。
【００３４】
また、特定以外の盤体ＰＡでは、各盤ロジック回路用端子台７からなる制御回路用端子台は電源接続用端子台５からなる電源接続用端子台および中央監視接続用端子台６からなる信号用端子台とともに外線接続に好都合な盤体ＰＡの内側面に設置される。したがって効率的な配線で外線接続機能を遂行できる。
【００３５】
盤体ＰＡの内側面に配置されている電源接続用端子台５および中央監視接続用端子台６ならびに各盤ロジック回路用端子台７へ接続される配線は並設された盤体ＰＡの隣接盤から入ってくる電線１０となる。前述した実施の形態１における各盤制御方式では、単体としての盤体ＰＡにおける盤外部からの配線となるものであり、電線１０を導入するための開口部は盤上部の端面に設けられる。
【００３６】
この発明に係る実施の形態２の構成によれば、特定の盤体ＰＡで配列全体の前記盤体ＰＡに係る制御回路を構築する集中制御方式において、制御回路用端子台による制御回路の構築等を効率的な配線形態で円滑に行える受配電設備の中継接続装置が得られる。
すなわち、特定の盤体ＰＡ以外の別の盤で制御回路を構築する集中制御方式のときも、最低限の端子台で構成できる。
【００３７】
（１）この発明に係る実施の形態２における受配電設備の中継接続装置では、次の構成が適用されている。
受配電回路の主回路導電部に設けられた真空高圧遮断器１からなる遮断部と、前記遮断部を制御する開閉操作手段を有する電子機器２からなる制御部と、前記遮断部と前記制御部の間に配置された中継接続ユニット３とを備えた受配電設備に関するものである。前記中継接続ユニット３で扉８の補助リレー設置スペース９に設置される複数の補助リレーにおける相互接続関係を調整して前記補助リレーに係る所定の接続構成を有する制御回路を構築する。そして、前記制御回路を介して開閉操作手段を有する電子機器２からなる前記制御部の指令入力により真空高圧遮断器１からなる前記遮断部を制御する。
【００３８】
前記中継接続ユニット３には、電源接続用端子台５からなる電源接続用端子台と、中央監視接続用端子台６からなる信号用端子台と、各盤ロジック回路用端子台７からなる制御回路用端子台とが前記中継接続ユニット３に設けられている。これら端子台は所定の長さを有する３本の専用線４からなる接続線によりそれぞれ接続される。また、真空高圧遮断器１からなる前記遮断部を収納し前方正面に片開き扉８からなる扉が設けられた盤体ＰＡを備えている。
【００３９】
そして、複数個の前記盤体ＰＡを並べて配列し前記盤体ＰＡにおける特定の盤体ＰＡで配列全体の前記盤体ＰＡに係る制御回路を構築する。特定の前記盤体ＰＡでは各盤ロジック回路用端子台７からなる前記制御回路用端子台を片開き扉８からなる前記扉の内面８Ａに配置している。また、特定以外の前記盤体ＰＡでは前記制御回路用端子台を前記盤体ＰＡの前方内側面に配置している。
【００４０】
３本の専用線４からなる接続線は、前記中継接続ユニット３と、電源接続用端子台５からなる電源接続用端子台と、中央監視接続用端子台６からなる信号用端子台と、各盤ロジック回路用端子台７からなる制御回路用端子台とをそれぞれ接続するものである。
それぞれ所定位置に配置された電源接続用端子台および信号用端子台ならびに制御回路用端子台に対する前記中継接続ユニット３からの相互接続を確保するのに必要な所定の長さをそれぞれ有する。
【００４１】
この構成により、特定の盤体ＰＡで配列全体の前記盤体ＰＡに係る制御回路を構築する集中制御方式において、制御回路用端子台による制御回路の構築等を効率的な配線形態で円滑に行える受配電設備の中継接続装置を得ることができる。
【００４２】
（２）また、この発明に係る実施の形態２における受配電設備の中継接続装置は、前記（１）項の構成において、次の構成が適用されている。
前記電源接続用端子台５と中央監視接続用端子台６からなる前記信号導出用端子台を前記盤体ＰＡの前方内側面に配置している。
この構成により、外部との接続構成を必要とする電源接続用端子台５と中央監視接続用端子台６からなる信号導出用端子台について、簡潔な配線構成で電源接続機能および信号導出機能を的確に遂行できる。
【００４３】
実施の形態３．
この発明に係る実施の形態３を図４に基づき図２および図３を参照して説明する。図４は実施の形態３で使用する専用線で接続される端子台の構成を示す拡大図である。
【００４４】
実施の形態１および実施の形態２に記載しているそれぞれの端子台は図４に示すようにコネクタ接続部１１を設けたものを採用し、中継接続ユニット３とは両端コネクタの専用線１２にて接続可能としておく。上記を採用することで結線作業時間の短縮が図れる。
【００４５】
所定長さを有する３本の専用線１２の一端には線端コネクタ接続部１１ａがそれぞれ設けられ、３本の専用線１２の他端にも同様の線端コネクタ接続部１１ａがそれぞれ設けられている。
３本の専用線１２の一端にそれぞれ設けられた線端コネクタ接続部１１ａに対応して中継接続ユニット３には３個の端子台接続部ＴＡにそれぞれ固定された対応コネクタ接続部１１ｂが設けられ線端コネクタ接続部１１ａと嵌合接続される。
また、３本の専用線１２の他端にそれぞれ設けられた線端コネクタ接続部１１ａに対応して電源接続用端子台５および信号導出のための中央監視接続用端子台６からなる信号用端子台ならびに制御回路を構築するための各盤ロジック回路用端子台７には対応コネクタ接続部１１ｂがそれぞれ設けられ線端コネクタ接続部１１ａと嵌合接続される。
【００４６】
中継接続ユニット３は配線ダクトＤＵ１，ＤＵ２を通る第１の専用線１２により電源接続用端子台５からなる電源接続用端子台にコネクタ接続部１１ａ，１１ｂを介して接続される。また、中継接続ユニット３は配線ダクトＤＵ１，ＤＵ２を通る第２の専用線１２により中央監視接続用端子台６からなる信号用端子台にコネクタ接続部１１ａ，１１ｂを介して接続される。そして、中継接続ユニット３は露出配線された第３の専用線により制御回路を構築するための各盤ロジック回路用端子台７にコネクタ接続部１１ａ，１１ｂを介して接続される（図２参照）。あるいは、配線ダクトＤＵ１，ＤＵ２を通る第３の専用線１２により制御回路を構築するための各盤ロジック回路用端子台７にコネクタ接続部１１ａ，１１ｂを介して接続される（図３参照）。
【００４７】
この発明に係る実施の形態３における受配電設備の中継接続装置は、前述した実施の形態１または実施の形態２での構成において、次の構成が適用されている。
実施の形態１，２における接続線４に相当する接続線として、両端に線端コネクタ接続部１１ａを設けた専用線１２を採用する。
【００４８】
また、前記専用線１２の一端に設けられた前記線端コネクタ接続部１１ａに対し前記中継接続ユニット３の接続用端子台ＴＡに設けられた対応コネクタ接続部１１ｂをコネクタ接続する。そして、前記専用線１２の他端に設けられた前記線端コネクタ接続部１１ａに対し前記電源接続用端子台と前記信号導出用端子台と前記制御回路用端子台に設けられた対応コネクタ接続部１１ｂをそれぞれ接続する。これにより、前記電源接続用端子台と前記信号導出用端子台と前記制御回路用端子台とに対し、前記中継接続ユニット３の接続用端子台ＴＡを各別の前記専用線１２でコネクタ接続するものである。すなわち、前記中継接続ユニット３と接続する端子台はコネクタ接続部１１ｂを設けたものを採用し、前記中継接続ユニット３と線端コネクタ接続部１１ａを両端に有する専用線１２で接続できることを特徴とする。
【００４９】
この構成により、前記中継接続ユニット３に対する前記電源接続用端子台５と中央監視接続用端子台６からなる前記信号導出用端子台と各盤ロジック回路用端子台７からなる前記制御回路用端子台との接続を迅速かつ確実に行うことができる。したがって、簡潔な配線構成で電源接続機能および信号導出機能ならびに制御回路構築機能を的確に遂行できる受配電設備の中継接続装置を得ることができる。
【００５０】
なお、本発明は、その発明の範囲内において、実施の形態を自由に組合せたり、各実施の形態を適宜、変形、省略することが可能である。
【符号の説明】
【００５１】
１：真空高圧遮断器  ２：電子機器  ３：中継接続ユニット  ４：専用線
５：電源接続用端子台  ６：中央監視接続用端子台（信号導出用端子台）
７：各盤ロジック回路用端子台（制御回路用端子台）
８：扉  ９：補助リレー設置スペース  １０：盤外部からの接続電線
１１：コネクタ接続部  １２：専用線  
【図１】
2018196211.tif 000003
【図２】
2018196211.tif 000004
【図３】
2018196211.tif 000005
【図４】
2018196211.tif 000006